(57)【要約】      （修正有）【課題】装飾の見え方、構造等を改良し、装飾性を高めた雌スナップボタンを提供する。【解決手段】外枠１１と、外枠の上面中央の孔１５から上方へ突出する装飾体１６と、外枠に頭部１２ａが収納され、胴部１２ｂが外枠下方の開口１１ａから下方へ突出するバネケース１２と、バネケース内に保持したバネ１３とからなる。装飾体１６は、孔１５を通して上下動と回転可能に外枠に装着される。外枠の孔１５は、この孔を通す装飾体の胴部より径が広く、装飾体の軸周りの回転を許容する。バネ１３の下部は、下方に向けて開口し、内部に雄スナップボタン２の脚部２２を挿入して係止可能としてある。装飾体の下端でバネの胴部上面を押すと、バネの胴部が拡開し、雄スナップボタンの脚部を解放する。【選択図】図１
0003194944.tif 000002
【実用新案登録請求の範囲】
【請求項１】
雌スナップボタンであって、
外枠と、
該外枠の上面中央の孔から上方へ突出する装飾体と、
前記外枠に少なくとも頭部が収納され、胴部が前記外枠の下方の開口から下方へ突出するバネケースと、
該バネケース内に保持したバネ、
からなり、
前記装飾体は、前記外枠の孔を通して少なくとも上下方向に可動に前記外枠に装着され、
前記外枠の孔は、該孔を通す前記装飾体の胴部より径が広く、前記装飾体の軸の回転を許容するものであり、
前記バネの下部は、下方に向けて開口し、内部に雄スナップボタンの脚部を挿入して係止可能としてなり、
前記装飾体の下端で前記バネの上面を押し、該バネの胴部を拡開させ、前記雄スナップボタンの頭部を解放する、
ことを特徴とする雌スナップボタン。
【請求項２】
請求項１に記載の雌スナップボタンと、該雌スナップボタンと組み合わせる前記雄スナップボタンからなるスナップボタン。
【請求項３】
請求項２に記載のスナップボタンを備えたことを特徴とするスナップボタン付きの物品。
【考案の詳細な説明】
【技術分野】
【０００１】
本考案は、生地、皮革等に取り付けて使用する雌スナップボタン、スナップボタン、及びスナップボタン付きの物品に関する。
【背景技術】
【０００２】
衣服や鞄、靴等において、生地や皮革を互に重ね合わせた状態を保持できるようにする手段として、雌雄一対のスナップボタンが知られている。公知のスナップボタンは、重ね合わされる生地等のうちの外側の生地（表側の生地）等は、表面に装飾を有する雌雄いずれか一方のスナップボタンを取り付け、内側の生地等には他方のスナップボタンを取り付け、これらを係合可能として使用する。
【０００３】
雌雄一対のスナップボタンは、雌雄のスナップボタンを係合させた状態では、雌スナップボタンの装飾が外部に露出した状態となる。そのため、装飾の見え方等の外観性が重要である。
【先行技術文献】
【特許文献】
【０００４】
【特許文献１】特開２０１０−４２１７８号公報
【考案の概要】
【考案が解決しようとする課題】
【０００５】
特許文献１に係るスナップボタンは、対となる雌スナップボタンの雌係合子に対応する雄係合子を備えた雄スナップボタンにおいて、雄係合子は、雄係合子主体と該雄係合子主体内に収納されるスペーサとを備え、前記雄係合子主体は、底部を有する上端側が拡径された筒状で、外径最大寸法（ｗ）が高さ寸法（ｈ）よりも大となる寸法とし、前記底部の中央には開口部を備え、且つ底部から下方へ前記開口部と連続する筒状のかしめ脚部を備えた構成とし、スペーサは、上面側を装飾部とし、前記雄係合子主体の上縁部を内側へ曲げ、前記スペーサの装飾部が外面に露呈した状態で当該スペーサを保持した構成としたものである。
【０００６】
しかし、特許文献１に係るスナップボタンは、装飾の見え方を改良したものではなく、特段従前のものとの違いはなかった。
【０００７】
本考案はこのような事情にかんがみてなされたものであり、装飾の備え方について改良し、見え方、すなわち外観性を向上させたスナップボタンを提供することを目的とするものである。
【課題を解決するための手段】
【０００８】
本考案に係る雌スナップボタンは、外枠と、該外枠の上面中央の孔から上方へ突出する装飾体と、前記外枠に少なくとも頭部が収納され、胴部が前記外枠の下方の開口から下方へ突出するバネケースと、該バネケース内に保持したバネ、からなり、前記装飾体は、前記孔を通して少なくとも上下方向に可動に前記外枠に装着され、前記外枠の上面中央の孔は、該孔を通す前記装飾体の胴部より径が広く、前記装飾体の軸の回転を許容するものであり、前記バネの下部は、下方に向けて開口し、内部に雄スナップボタンの脚部を挿入して係止可能としてなり、前記装飾体の下端で前記バネの上面を押し、該バネの胴部を拡開させ、前記雄スナップボタンの脚部を解放する、ことを特徴とする。
【考案の効果】
【０００９】
本考案によれば、装飾の見え方、構造等について従来に無い新たな構成のものを提供し、雌スナップボタンとしての装飾性を高め得る。
【図面の簡単な説明】
【００１０】
【図１】本考案の実施形態に係るスナップボタンの縦断面図である。
【図２】図１に示したスナップボタンの外枠の平面図である。
【図３】図１に示したスナップボタンの分解状態を示す縦断面図である。
【考案を実施するための形態】
【００１１】
以下、本考案の実施形態に係るスナップボタンを図面を参照して説明する。なお、図１〜図３は同一の実施形態を示すものであるが、縮尺については同一ではない。
図中１は、本考案の実施形態に係る雌スナップボタン、２は同じく雄スナップボタン、３、４は生地であり、本考案に係るスナップボタンは、雌スナップボタン１と雄スナップボタン２により構成される。図中５は座金である。雌スナップボタン１は座金５を用いて生地３に装着する。また本考案に係るスナップボタン付きの物品は、例えば生地３、４が衣服を構成する生地であれば、雌スナップボタン１と雄スナップボタン２を取り付けた生地３、４は衣服を構成する。生地３、４が例えば鞄、靴を構成する皮革であれば、雌スナップボタン１と雄スナップボタン２を取り付けた生地３、４は靴あるいは鞄を構成する。
【００１２】
雌スナップボタン１は、円盤状の外枠１１、同じく円盤状のバネケース１２、下方及び周面が開口した中空円筒状の胴部を有するバネ１３、外枠１１とバネ１３の間に装着するワッシャー１４、そして外枠１１の上面の中央に設けた孔１５から上方へ突出する装飾体１６から構成される。また雄スナップボタン２は、頭部２１と、脚部２２を備えた座金２３から構成される。
【００１３】
外枠１１は略円盤状で、下面側が凹部をなすように曲折させてある。そして内側にはバネケース１２の頭部１２ａが収納される。バネケース１２の胴部１２ｂは、外枠１１の下方の開口１１ａから下方へ突出する。なお図示の実施形態ではバネケース１２の胴部１２ｂの上部が外枠１１の下側に入り込んでいる。
【００１４】
バネケース１２内に保持したバネ１３は、上述のように胴部の下方及び周面が開口した中空円筒状のもので、胴部の上面は略平坦面をなしている。図中１３ａは胴部の周面の開口部である。そしてバネ１３の上面と接するようにワッシャー１４が装着してある。具体的にはワッシャー１４の外周縁部が外枠１１とバネケース１２との間に挟まれて保持してある。
【００１５】
装飾体１６は、金属等の薄板をかしめて形成した保持体１７により装飾物１８を保持したものである。詳細には、保持体１７を細径の頸部１７ａと太径の受け部１７ｂとで構成し、頸部１７ａを外枠１１の孔１５に通して外枠に装着し、受け部１７ｂにより装飾物１８を保持し、良好な外観体裁を呈するようにしてある。
【００１６】
また孔１５の径は、頸部１７ａの径より大きくしてあり、頸部１７ａの下端を若干上方へ折り返すようにかしめ、孔１５より大径とすることで抜け止めとし、頸部１７ａの長さの範囲内で装飾体１６を上下に可動し、また孔１５と頸部１７ａの径の差を利用して、装飾体１６が回転できるようにしてある。
【００１７】
さらに、下方に向けて開口させたバネ１３の胴部下部は、内側に雄スナップボタン２の脚部２２を挿入すれば、バネ１３の胴部下端の折り曲げ部分と、脚部２２の基部の凹部とが係合し、雄スナップボタン２を係止可能となっている。この係止状態で、装飾体１６は上述のように上下動や、回転動可能となる。そして、この状態で装飾体１６を上方から押し下げ、頸部１７ａの下端でバネ１３の上面を押すと、バネ１３の胴部が拡開し、雄スナップボタン２の脚部２２が解放される。なお図２、図３において装飾体１６の位置は、最上位にあってバネ１３に触れていない状態を示し、図２、図３の左側の部分においては、バネ１３の破線で示す部位が胴部が拡開していない状態を示す（逆に実線で示したのは、装飾体１６の接触により拡開した状態を示す）。
【００１８】
本考案は以上説明した実施形態に限定されるものではなく、多くの変形が本考案の技術的思想内で当分野において通常の知識を有する者により可能である。
【符号の説明】
【００１９】
１      ：雌スナップボタン
２      ：雄スナップボタン
３      ：生地
４      ：生地
５      ：座金
１１    ：外枠
１１ａ  ：開口
１２    ：バネケース
１２ａ  ：頭部
１２ｂ  ：胴部
１３    ：バネ
１４    ：ワッシャー
１５    ：孔
１６    ：装飾体
１７    ：保持体
１７ａ  ：頸部
１７ｂ  ：受け部
１８    ：装飾物
２１    ：頭部
２２    ：脚部
２３    ：座金
【図１】
0003194944.tif 000003
【図２】
0003194944.tif 000004
【図３】
0003194944.tif 000005